(57)【要約】【課題】  効率的な被処理水の流通を促進する水処理装置を提供する。【解決手段】  水処理装置１００の処理槽本体１０１に設けられた沈殿分離槽１２０と清掃孔１３０は、槽上下方向の底部において連通している。この清掃孔１３０は、処理槽本体１０１の側壁１０１ａ，１０１ｂから離間して配置され、これにより槽左右方向および槽前後方向に関して、沈殿分離槽１２０と清掃孔１３０の連通が図られる。【選択図】  図３
2020001040.tif 000002
【特許請求の範囲】
【請求項１】
汚泥を含む被処理水に対して処理を行う水処理槽を備えた水処理装置であって、
外壁を有する槽本体と、
前記槽本体内に設けられ、被処理水に含まれる汚泥を沈殿させるための沈殿槽と、
前記沈殿槽の底部と連通し、前記沈殿槽の被処理水が往来可能な縦孔と
前記縦孔に対して空気を供給可能な空気供給部と、を有し、
前記縦孔は、前記槽本体の前記外壁から離間して配置され、
前記縦孔には、鉛直方向に延在する網目状濾材が設けられており、
前記空気供給部から供給された空気が前記網目状濾材を通過することで、前記空気が細分化されるように構成され、
前記縦孔は、前記網目状濾材が設けられた網目状濾材配置領域と、当該網目状濾材配置領域以外の網目状濾材非配置領域で構成されており、
前記網目状濾材配置領域は、前記空気供給部の散気口の上方に設けられており、
前記空気供給部から供給される空気によって前記網目状濾材配置領域において上向流が発生し、前記網目状濾材非配置領域において下向流が発生して、前記縦孔内に旋回流が生成されるように構成され、
前記旋回流は、前記沈殿槽の堆積汚泥を、被処理水とともに前記縦孔内を循環させる堆積汚泥循環手段をなすことを特徴とする水処理装置。
【請求項２】
請求項１に記載の水処理装置であって、
前記網目状濾材配置領域と、前記網目状濾材非配置領域は、互いに隣接して設けられていることを特徴とする水処理領域。
【請求項３】
請求項１〜２のいずれか１項に記載の水処理装置であって、
前記槽本体は、互いに平行な第１外壁と第２外壁を有し、
前記縦孔は、前記第１外壁と前記第２外壁に直交する前記槽本体の幅方向に関して、前記槽本体の幅方向の中心領域を含む領域に配置されていることを特徴とする水処理装置。
【請求項４】
請求項３に記載の水処理装置であって、
前記縦孔は、前記槽本体における前記幅方向の中心を通り前記第１外壁および前記第２外壁に平行な仮想平面に対して対称な領域によって構成されていることを特徴とする水処理装置。
【請求項５】
請求項１〜４のいずれか１項に記載の水処理装置であって、
前記水処理装置の外部から前記沈殿槽に被処理水が流入するように構成され、
前記縦孔には、前記沈殿槽の底部領域を介して被処理水が移流されるように構成されていることを特徴とする水処理装置。
【請求項６】
請求項１〜５のいずれか１項に記載の水処理装置であって、
前記槽本体内において、前記沈殿槽の下流には、被処理水を好気処理または嫌気処理する処理槽が設けられており、
前記沈殿槽と前記処理槽を区画するための隔壁が設けられており、
前記隔壁に、前記縦孔を形成するための縦孔形成壁部が取り付けられていることを特徴とする水処理装置。
【請求項７】
請求項６に記載の水処理装置であって、
前記処理槽内の被処理水を前記沈殿槽に移流させて前記沈殿槽と前記処理槽の間で被処理水を循環させる循環機構が設けられていることを特徴とする水処理装置。
【請求項８】
請求項６または７に記載の水処理装置であって、
前記隔壁には、前記縦孔を挟んで、前記沈殿槽から前記処理槽に被処理水を移流させるための２つの移流開口が形成されていることを特徴とする水処理装置。
【発明の詳細な説明】
【技術分野】
【０００１】
本発明は、生活排水等の汚水を処理する水処理装置に関する。
【背景技術】
【０００２】
特開２００８−０１２４６５号公報には、水処理装置が開示されている。この水処理装置は、外部から汚水が流入するとともに汚泥分離機能を有する固液分離槽と、固液分離槽と槽下部で連通する好気消化槽を有する。そして、好気消化槽においては、固液分離槽から槽下部を介して移流された汚水が好気処理され、好気処理された被処理水は、その後、固液分離槽に戻される。
【先行技術文献】
【特許文献】
【０００３】
【特許文献１】特開２００８−０１２４６５号公報
【発明の概要】
【発明が解決しようとする課題】
【０００４】
上記の水処理装置においては、槽下部において固液分離槽と好気消化槽の間で汚水が流通して、各槽において汚水の処理が行われる。このような汚水に処理においては、汚水が効率的に流通される必要があり、上記の水処理装置の構成に対して更なる改善の余地がある。本発明は、この点を鑑みてなされたものであり、効率的な被処理水の流通を促進する技術を提供することを課題とする。
【課題を解決するための手段】
【０００５】
上記課題は、本発明によって解決される。本発明に係る水処理装置の好ましい形態によれば、汚泥を含む被処理水に対して処理を行う水処理槽を備えた水処理装置が構成される。この水処理装置は、槽本体と沈殿槽と縦孔と空気供給部を有する。槽本体は、水処理装置の外郭を構成する外壁を有する槽状の部材である。この槽本体の内部には、水処理領域として、被処理水を処理する各槽が設けられている。具体的には、被処理水に含まれる汚泥を沈殿させるための沈殿槽と、沈殿槽の底部と連通し、沈殿槽の被処理水が往来可能な縦孔を備える。更に、水処理装置は、縦孔に対して空気を供給可能な吸気供給部を有する。好適には、空気供給部から供給される空気が被処理水中を上昇することで上向流が発生し、当該上向流に応じて下向流が発生することで、縦孔内に旋回流が生成される。旋回流によって縦孔内の被処理水が撹拌されるため、縦孔は撹拌孔とも称する。この縦孔は、槽本体の外壁から離間して配置されている。縦孔は、槽本体において上下に延在する所定の区画壁によって区画される領域として構成されている。すなわち、縦孔とは、上下方向に延在する所定の長さを備えた領域として定義される。典型的には、区画壁は、槽本体の側壁から離間して配置されるとともに、槽本体の底部から離間し、これにより沈殿槽と縦孔が槽本体の底部において連通する。より好適には、水処理装置の外部から沈殿槽に被処理水が流入するように構成され、縦孔には、沈殿槽の底部領域を介して被処理水が移流されるように構成される。
【０００６】
本発明によれば、縦孔は、槽本体の外壁から離間して配置されているため、縦孔の周りに、沈殿槽を配置することができる。そのため、槽本体の底部で連通する沈殿槽と縦孔において、複数の方向（例えば、槽本体の前後方向および左右方向）に関して沈殿槽と縦孔の連通を図ることができる。これにより、沈殿槽と縦孔の間において被処理水とともに汚泥の流通（交換）が効率的に行われる。
【０００７】
本発明に係る水処理装置によれば、縦孔には、鉛直方向に延在する網目状濾材が設けられている。そして、空気供給部から供給された空気が網目状濾材を通過することで、空気が細分化されるように構成されている。好適には、網目状濾材は円筒状に構成され、空気供給部は空気供給管が網目状濾材の内部を縦孔の下部領域まで貫通するように構成される。また、縦孔は、網目状濾材が設けられた網目状濾材配置領域と、網目状濾材配置領域以外の網目状濾材非配置領域で構成されている。この網目状濾材配置領域は、空気供給部の散気口の上方に設けられている。すなわち、網目状濾材は、散気口の上方に設けられる。そして、空気供給部から供給される空気によって、網目状濾材配置領域において上向流が発生し、網目状濾材非配置領域において下向流が発生する。その結果、縦孔内に旋回流が生成される。したがって、空気によって縦孔内を撹拌するとともに、細分化された空気（気泡）によって縦孔内の旋回流によって旋回する汚泥が好気処理される。そして前記旋回流は、前記沈殿槽の堆積汚泥を、被処理水とともに前記縦孔内を循環させる堆積汚泥循環手段をなすように構成される。
【０００８】
なお、前記網目状濾材配置領域と、前記網目状濾材非配置領域は、互いに隣接して設けられることが好ましい。
【０００９】
本発明に係る水処理装置の更なる形態によれば、槽本体は、互いに平行な第１外壁と第２外壁を有する。そして、縦孔は、第１外壁と第２外壁に直交する槽本体の幅方向に関して、槽本体の幅方向の中心領域を含む領域に配置されている。したがって、槽本体の幅方向に関して、縦孔の第１外壁側と第２外壁側には、沈殿槽が設けられる。そのため、沈殿槽と縦孔は、縦孔の第１外壁側および第２外壁側の各領域において連通する。好適には、縦孔は、槽本体における幅方向の中心を通り第１外壁および第２外壁に平行な仮想平面に対して対称な領域によって構成される。
【００１０】
本発明に係る水処理装置の更なる形態によれば、槽本体内において、沈殿槽の下流には、被処理水を好気処理または嫌気処理する処理槽が設けられている。なお、処理槽としては、好気処理槽および／または嫌気処理槽が設けられる。また、好気処理槽および嫌気処理槽以外の処理槽が更に設けられていてもよい。好気処理槽と嫌気処理槽が設けられる構成においては、嫌気処理槽が上流側であり、好気処理槽が下流側であることが好ましい。そして、槽本体には、沈殿槽と処理槽を区画するための隔壁が設けられており、当該隔壁に、縦孔を形成するための縦孔形成壁部が取り付けられている。典型的には、水処理装置は、槽状の槽本体に対して隔壁を取り付けることで、各水処理領域を構成する。そのため、隔壁と縦孔形成壁部が予め一体となったアセンブリ体が構成され、当該アセンブリ体が槽本体に取り付けられることが好ましい。この場合には、隔壁の組み付けと同時に縦孔が設けられる。したがって、水処理装置の製造工程の簡略化が図られる。
【００１１】
本発明に係る水処理装置の更なる形態によれば、処理槽内の被処理水を沈殿槽に移流させて沈殿槽と処理槽の間で被処理水を循環させる循環機構が設けられている。循環機構として好適には、処理槽内の被処理水を沈殿槽に返送するポンプが用いられる。より好適には、水処理槽内の被処理水の水位に応じて揚程が変動することで、被処理水の移送量を可変とするエアリフトポンプが用いられる。
【００１２】
本発明に係る水処理装置の更なる形態によれば、隔壁には、縦孔を挟んで、沈殿槽から処理槽に被処理水を移流させるための２つの移流開口が形成されている。したがって、撹拌槽が中央領域に設けられている構成であっても、２つの移流開口を介して被処理水を移流させることができる。その結果、沈殿槽から処理槽へ被処理水が効率的に移流される。
【発明の効果】
【００１３】
本発明によれば、水処理装置において、効率的な被処理水の流通を促進する技術が提供される。
【図面の簡単な説明】
【００１４】
【図１】本発明の代表的な実施形態に係る水処理装置の概要を示す図である。
【図２】水処理装置における被処理水の処理フローを示す図である。
【図３】図１のIII-III線における水処理装置の平面図である。
【図４】図３のIV-IV線における断面図である。
【図５】図３のV-V線における断面図である。
【図６】図３のVI-VI線における断面図である。
【発明を実施するための形態】
【００１５】
以下に、本発明の代表的な実施形態における水処理装置の構成を図１〜図６を参照して説明する。なお、本実施形態は、一般家庭、集合住宅等から排出される原水（「排水」ないし「被処理水」ともいう）を水処理領域に受け入れて処理する水処理装置について説明するものである。
【００１６】
図１に示すように、水処埋装置１００は、当該水処埋装置１００の躯体（外郭）を構成する槽状の処理槽本体１０１を有する。図１および図２に示すように、処理槽本体１０１は、平面視で略矩形状に形成され、互いに平行な側壁１０１ａ，１０１ｂと、互いに平行な側壁１０１ｃ，１０１ｄと、底壁１０１ｅおよび上壁１０１ｆによって構成される。この水処埋装置１００は、屎尿と併せて生活雑排水（生活系の汚水）を処理する構成の水処理装置である。この処理槽本体１０１が、本発明における「槽本体」に対応する実施構成例である。
【００１７】
図１に示すように、処理槽本体１０１は、流入管１０２、流出管１０３及びマンホール部１０４を備えている。流入管１０２は、被処理水（原水）を処理槽本体１０１の内部空間に導入するための開口部分として構成される。流出管１０３は、処理後の水を処理槽本体１０１の内部空間から導出するための開口部分として構成される。マンホール部１０４は、入槽用、内部点検用、清掃用のマンホールが形成された部位として構成される。
【００１８】
なお、処理槽本体１０１のうちのマンホール部１０４側（上壁１０１ｆ側）が槽上方または槽上部と規定され、その反対側（底壁１０１ｅ側）が槽下方、槽下部または槽底部と規定される。また、処理槽本体１０１のうちの流入管１０２側（側壁１０１ｃ側）が上流側と規定され、また流出管１０３側（側壁１０１ｄ側）が下流側と規定される。また、図１において、マンホール部１０４の延在面に沿った方向が水平方向（槽前後方向とも称す）と規定され、水平方向と交差する方向が鉛直方向（槽上下方向とも称す）と規定される。また、図１の紙面に垂直な方向（槽前後方向と槽上下方向に直交する方向、図３における上下方向）が槽左右方向と規定される。なお、図１〜図６における矢印は、被処理水の流れを示している。
【００１９】
図１に示すように、処理槽本体１０１の内部空間には、流入管１０２を通じて受け入れた原水を貯留しつつ所定の水処理がなされる水処理領域が形成されている。この水処理領域には、沈殿分離槽１２０、清掃孔１３０、嫌気処理槽１４０、好気処理槽１５０、処理水槽１６０及び消毒槽１７０が形成されている。図２に示すように、流入管１０２を通じて処理槽本体１０１（流入バッフル１１０）に流入した排水は、沈殿分離槽１２０、嫌気処理槽１４０、好気処理槽１５０、処理水槽１６０及び消毒槽１７０において順次処埋され、処理後の水は流出管１０３を通じて処理槽本体１０１の外部へと流出される。また、沈殿分離槽１２０と清掃孔１３０の間、および嫌気処理槽１４０と好気処理槽１５０の間では、被処理水が循環するように構成されている。なお、水処理装置１００は、処理槽本体１０１外へと流出した水をそのまま放流する浄化槽として構成されてもよいし、或いは処理槽本体１０１外へと流出した水をトイレや散水用の水として再利用する水再利用装置として構成されてもよい。
【００２０】
流入バッフル１１０は、水処理領域のうちの最上流領域を構成している。流入管１０２から流入バッフル１１０に流入した排水は、沈殿分離槽１２０に移流される。沈殿分離槽１２０に流入した被処理水は固液分離処理され、被処理水から分離された固形成分は沈殿汚泥として沈殿分離槽１２０の底部に堆積される。流入バッフル１１０に排水が流入することで、排水が間接的に沈殿分離槽１２０に流入され、沈殿分離槽１２０おける沈殿した汚泥等の撹拌が抑制される。この流入バッフル１１０を備えた沈殿分離槽１２０が、本発明における「沈殿槽」に対応する実施構成例である。
【００２１】
図１および図３に示すように、沈殿分離槽１２０とその下流側の嫌気処理槽１４０の間には槽上下方向に延在する隔壁１０５が設けられている。この隔壁１０５は、側壁１０１ａ，１０１ｂおよび底壁１０１ｅに取り付けられる。図４に示すように、隔壁１０５における上方領域には、沈殿分離槽１２０と嫌気処理槽１４０を連通する左右の開口部１０５ａ，１０５ｂが形成されている。図３および図４に示すように、隔壁１０５には、沈殿分離槽１２０と清掃孔１３０を区画するための区画壁１３１が取り付けられている。この区画壁１３１は、槽左右方向に関して、側壁１０１ａ，１０１ｂから離間して設けられ、槽前後方向に関して、側壁１０１ｃ，１０１ｄから離間して設けられている。この区画壁１３１によって、清掃孔１３０が、槽左右方向に関する隔壁１０５の中央領域に対応して設定される。すなわち、清掃孔１３０は、処理槽本体１０１の槽左右方向に関する中心部を含み、図３に示すように当該中心部に対して対称な形状を有する。換言すると、清掃孔１３０は、処理槽本体１０１の槽左右方向に関する中心と通過し、槽前後方向に延在する仮想平面に対して対称に形成されている。この清掃孔１３０に対して、開口部１０５ａ，１０５ｂは、清掃孔１３０の左右にそれぞれ設けられている。この隔壁１０５および区画壁１３１がそれぞれ、本発明における「隔壁」および「縦孔形成壁部」に対応する実施構成例である。また、清掃孔１３０が、本発明における「縦孔」に対応する実施構成例である。また、開口部１０５ａ，１０５ｂが、本発明における「移流開口」に対応する実施構成例である。また、側壁１０１ａ，１０１ｂがそれぞれ、本発明における「第１外壁」および「第２外壁」に対応する実施構成例である。
【００２２】
図１および図４に示すように、区画壁１３１の下端部は、処理槽本体１０１の底部（底壁１０１ｅ）から離間するように配置されており、これにより沈殿分離槽１２０の下方領域は、清掃孔１３０に連通している。すなわち、区画壁１３１の下端部は、清掃孔１３０の下端開口１３０ａとして形成されており、下端開口１３０ａは、底壁１０１ｅから上方に離間するように形成される。なお、区画壁１３１の上端部の清掃孔１３０の上端開口１３０ｂは、上壁１０１ｆから下方に離間するように形成される。清掃孔１３０には、ドラフトチューブとして形成された長尺状かつ網目状の濾材１３２および濾材１３２を貫通する第１散気管１９０が設けられている。第１散気管１９０は、図４に示すように、清掃孔１３０における右側の領域に配置されている。この清掃孔１３０における右側の領域が、本発明における「網目状濾材配置領域」に対応する実施構成例である。したがって、清掃孔１３０における濾材が配置されていない左側の領域が、本発明における「網目状濾材非非配置領域」に対応する実施構成例である。第１散気管１９０の下端部から下端開口１３０ａを介して清掃孔１３０内に空気が供給されると、清掃孔１３０の右側の領域には上向流が発生し、清掃孔１３０の左側の領域には下向流が発生する。これにより、清掃孔１３０内に旋回流が発生し、清掃孔１３０内の被処理水が撹拌される。したがって、清掃孔１３０は、被処理水を撹拌する撹拌孔とも称する。この濾材１３２が、本発明における「濾材」に対応する実施構成例である。また、第１散気管１９０が、本発明における「空気供給部」に対応する実施構成例である。
【００２３】
第１散気管１９０から散気された空気は、濾材１３２を通過して細分化される。沈殿分離槽１２０の底部に堆積した汚泥は、旋回流（上向流および下向流）によって被処理水とともに清掃孔１３０内を循環する。清掃孔１３０において、汚泥は、細分化された空気によって効率的に好気処理される。水処理領域における水位の変動により、清掃孔１３０内の汚泥と沈殿分離槽１２０の底部の汚泥は往来し、これにより沈殿分離槽１２０内に気泡を含む汚泥が供給される。その結果、沈殿分離槽１２０においては、気泡を含む汚泥が浮上してスカム化し、高濃度に汚泥が貯留される。
【００２４】
図３に示すように、沈殿分離槽１２０内の被処理水は、左右の開口部１０５ａ，１０５ｂを通じて、下流側の嫌気処理槽１４０に移送される。
【００２５】
図１、図３および図５に示すように、嫌気処理槽１４０は、第１嫌気室１４１、第２嫌気室１４２を備えている。嫌気処理槽１４０とその下流側の好気処理室１５０の間には槽上下方向に延在する隔壁１０６が設けられている。この隔壁１０６の前側（上流側）には、図３に示すように、第１嫌気室１４１と第２嫌気室１４２を区画するための区画壁１４３が取り付けられている。この区画壁１４３によって、第２嫌気室１４２が、槽左右方向に関する隔壁１０６の中央領域に対応して設定される。図５に示すように、区画壁１４３の下端部は、処理槽本体１０１の底部から離間するように配置されており、これにより第１嫌気室１４１の下方領域は、第２嫌気室１４２に連通している。
【００２６】
また、図３に示すように、隔壁１０６の後側（下流側）には、隔壁１０６の下流側の領域を好気処理槽１５０と処理水槽１６０に区画するための区画壁１６１が取り付けられている。区画壁１４３で区画される第２嫌気室１４２の槽左右方向の長さは、区画壁１６１で区画される処理水槽１６０の槽左右方向の長さより長くなるように設定される。これにより、図３、図５および図６に示すように、隔壁１０６のうち、槽左右方向に関して、区画壁１６１の外側（処理水槽１６０の外側）であって、区画壁１４３の内側（第２嫌気室１４２の内側）において、第２嫌気室１４２と好気処理槽１５０を連通する左右の開口部１０６ａ，１０６ｂが設けられる。
【００２７】
隔壁１０６は、区画壁１４３および区画壁１６１が隔壁１０６に予め取り付けられた状態で、処理槽本体１０１に組み付けられる。すなわち、隔壁１０６、区画壁１４３および区画壁１６１はアセンブリ体として構成される。これにより、水処理装置１００の製造工程において、第２嫌気室１４２、好気処理槽１５０および処理水槽１６０が効率的かつ簡易的に設置される。
【００２８】
第１嫌気室１４１のうち槽上下方向における中間領域には、有機汚濁物質を嫌気処理する嫌気性微生物が付着する所定量の嫌気濾材が充填された嫌気濾床１４４が処理槽本体１０１に支持されるように設けられている。嫌気濾材としては、平板状の濾材や骨格様球状の濾材を好適に用いることができる。この嫌気濾床１４４では、被処理水が嫌気処理及び濾過処理され、これによりＢＯＤの低減と汚泥物の除去が行なわれる。
【００２９】
第１嫌気室１４１で嫌気処理された被処理水は、第１嫌気室１４１の下方領域から第２嫌気室１４２の下方領域に移送され、第２嫌気室１４２内を上昇する。その後、被処理水は、開口部１０６ａおよび開口部１０６ｂを通過して好気処理槽１５０に移流される。
【００３０】
この第２嫌気室１４２には、第１エアリフトポンプ１８０が設置されている。この第１エアリフトポンプ１８０は、嫌気処理槽１４０内に沈殿した汚泥を被処理水とともに、流入バッフル１１０に返送する。この第１エアリフトポンプ１８０は、嫌気濾床が設けられていない第２嫌気室１４２に設けられている。そのため、第１エアリフトポンプ１８０と嫌気濾床１４４との干渉が回避される。すなわち、第２嫌気室１４２は、嫌気処理槽１４０に流入した被処理水を第１嫌気室１４１内において下向流として流通させて嫌気処理する機能と、第１エアリフトポンプ１８０を嫌気濾床１４４から隔離する機能を有する。この第１エアリフトポンプ１８０が、本発明における「循環機構」に対応する実施構成例である。
【００３１】
図３に示すように、隔壁１０６の下流側には、槽左右方向に関する中央領域に処理水槽１６０が設定されている。また、図６に示すように、好気処理槽１５０は、処理槽本体１０１内において、処理水槽１６０を挟んで左側領域と右側領域が下部領域で連通するように形成される。この好気処理槽１５０の下部領域は、処理水槽１６０に連通している。
【００３２】
図６に示すように、好気処理槽１５０内には、被処理水中の有機汚濁物質を好気分解（好気処理）する好気性微生物が付着する好気濾床１５１ａ，１５１ｂが設けられている。好気濾床１５１ａは、好気濾床１５１ｂより下方の領域に設けられている。好気濾床１５１ａは、網様ロール状の濾材によって構成されている。具体的には、網様ロール状の濾材は、ポリプロピレン、ポリエチレン等の樹脂からなる線材が立体的に絡まる網状体であり、直径約１００ｍｍ、長さ約１００ｍｍの円筒形に成形されている。したがって、好気濾床１５１ａは、複数の網様ロール状の濾材が所定の領域に充填されて構成されている。なお、好気濾床１５１ａの好気濾材は、網状体、球状体、板状体の濾材や、多孔質材料で成形された濾材を用いてもよい。一方、好気濾床１５１ｂは、ブロック状の（単一の）濾材によって構成されている。具体的には、ブロック状の濾材は、ポリプロピレン、ポリエチレン等の樹脂からなる線材が立体的に絡まる網状体であり、ブロック状に一体に成形されている。したがって、上側の好気濾床１５１ｂは、下側の好気濾床１５１ａの複数の濾材が流出を防止する蓋の機能を有する。この好気濾床１５１ｂは、処理槽本体１０１に支持されたネットや板状部材等の保持部材によって保持されている。なお、好気濾床１５１ｂの好気濾材は、一体に成形された濾材であれば、板状等の他の形状に成形されていてもよい。
【００３３】
図６に示すように、好気処理槽１５０には、第２散気管１９１が設けられている。これにより、好気濾床１５１を通過する被処理水は、第２散気管１９１から供給される空気によって好気処理される。好気濾床１５１ａ，１５１ｂによって好気処理された被処理水は、好気処理槽１５０の下部領域に移送される。
【００３４】
図１および図６に示すように、処理水槽１６０には、第２エアリフトポンプ１８１が設けられている。第２エアリフトポンプ１８１は、処理水槽１６０の下部領域まで延在している。これにより、好気処理槽１５０から処理水槽１６０に移送される被処理水の一部は、処理水槽１６０に移送される前に、第２エアリフトポンプ１８１によって流入バッフル１１０に返送される。これにより、水処理装置１００内の被処理水は、流入バッフル１１０、沈殿分離槽１２０、嫌気処理槽１４０および好気処理槽１５０を循環する。この第２エアリフトポンプ１８１が、本発明における「循環機構」に対応する実施構成例である。
【００３５】
図１および図２に示すように、処理水槽１６０内には、区画壁１７１によって区画された消毒槽１７０が設けられている。また、処理水槽１６０には、処理水槽１６０内の被処理水を消毒槽１７０に移送するための第３エアリフトポンプ１８２が設けられている。
【００３６】
消毒槽１７０には、消毒処理を行うための固形消毒剤が充填された薬剤筒（図示省略）が設けられている。この薬剤筒から溶出した消毒剤によって消毒処理がなされた後の水は、流出管１０３を通じて処理槽本体１０１の外部へと排出される。なお、消毒槽１７０の下流には、更に別の槽、例えば放流用のポンプが設置された放流ポンプ槽などを設けてもよい。
【００３７】
これら第１〜第３エアリフトポンプ１８０〜１８２および第１、第２散気管１９０，１９１は、空気供給装置（図示省略）に接続されており、エアバルブによって空気の供給および遮断が切り替えられる。なお、第１〜第３エアリフトポンプ１８０〜１８２および第１、第２散気管１９０，１９１に設けられたエアバルブは、コントローラ（図示省略）によって制御されている。
【００３８】
水処理領域における水位の変動に伴って、第１〜第３エアリフトポンプ１８０〜１８２の揚程が変動する。すなわち、水処理領域における被処理水の水位が高くなると、揚程が短くなり、エアリフトポンプによる被処理水の移送量が多くなる。一方、水処理領域における被処理水の水位が低くなると、揚程が長くなり、エアリフトポンプによる被処理水の移送量が少なくなる。そのため、エアリフトポンプを利用することにより、水処理装置１００に流入する排水が多くなり水処理領域の水位が上昇した場合であっても、水位の上昇に応じてエアリフトポンプの能力を上げることができる。
【００３９】
以上の本実施形態によれば、水処理装置１００において、平面視で清掃孔１３０が沈殿分離槽１２０に囲まれるように配置されている。そのため、複数の方向において沈殿分離槽１２０と清掃孔１３０の連通が図られる。すなわち、処理槽本体１０１の左右方向および前後方向において、沈殿分離槽１２０と清掃孔１３０が連通する。これにより、沈殿分離槽１２０と清掃孔１３０の間において被処理水が効率的に流通される。
【００４０】
また、本実施形態によれば、第１散気管１９０から供給される空気によって、清掃孔１３０内の被処理水に旋回流を発生させるとともに、旋回流による被処理水の流れによって沈殿分離槽１２０と清掃孔１３０の間において被処理水が効率的に流通される。
【００４１】
また、本実施形態によれば、第１散気管１９０から供給される空気が濾材１３２によって細分化されるため、清掃孔１３０内を旋回する被処理水に含まれる汚泥を細かい気泡によって効果的に好気処理することができる。
【００４２】
以上の本実施形態においては、水処理装置１００にエアリフトポンプを設けていたが、エアリフトポンプ以外の水中ポンプを設置してもよい。その場合には、コントローラが、水位の変動に応じて、水中ポンプによる被処理水の移送量を制御する。
【００４３】
また、以上の実施形態においては、水処理装置１００は、流入バッフル１１０、沈殿分離槽１２０、清掃孔１３０、嫌気処理槽１４０、好気処理槽１５０、処理水槽１６０及び消毒槽１７０の各処理要素によって構成される場合について説明したが、処理要素の数や種類に関しては必要に応じて種々選択が可能である。
【００４４】
また、以上の実施形態においては、一般家庭、集合住宅等から排出される原水を処理する水処理装置１００について記載したが、本発明は、一般家庭、集合住宅以外に、商業施設、公共施設、工場等の設備から排出される原水を処理する水処理装置に対しても適用することが可能である。
【００４５】
（実施形態の各構成要素と本発明の各構成要素の対応関係）
以上の実施形態は、本発明を実施するための形態の一例を示すものである。したがって、本発明は、実施形態の構成に限定されるものではない。なお、実施形態の各構成要素と本発明の各構成要素の対応関係を以下に示す。
水処理装置１００は、本発明の「水処理装置」に対応する構成の一例である。
処理槽本体１０１は、本発明の「槽本体」に対応する構成の一例である。
側壁１０１ａ，１０１ｂ，１０１ｃ，１０１ｄは、本発明の「外壁」に対応する構成の一例である。
底壁１０１ｅは、本発明の「外壁」に対応する構成の一例である。
上壁１０１ｆは、本発明の「外壁」に対応する構成の一例である。
側壁１０１ａは、本発明の「第１外壁」に対応する構成の一例である。
側壁１０１ｂは、本発明の「第２外壁」に対応する構成の一例である。
沈殿分離槽１２０は、本発明の「沈殿槽」に対応する構成の一例である。
清掃孔１３０は、本発明の「縦孔」に対応する構成の一例である。
区画壁１３１は、本発明の「縦孔形成壁部」に対応する構成の一例である。
濾材１３２は、本発明の「網目状濾材」に対応する構成の一例である。
隔壁１０５は、本発明の「隔壁」に対応する構成の一例である。
開口部１０５ａは、本発明の「移流開口」に対応する構成の一例である。
開口部１０５ｂは、本発明の「移流開口」に対応する構成の一例である。
第１エアリフトポンプ１８０は、本発明の「循環機構」に対応する構成の一例である。
第２エアリフトポンプ１８１は、本発明の「循環機構」に対応する構成の一例である。
第１散気管１９０は、本発明の「空気供給部」に対応する構成の一例である。
【符号の説明】
【００４６】
１００  水処理装置
１０１  処理槽本体
１０１ａ  側壁
１０１ｂ  側壁
１０１ｃ  側壁
１０１ｄ  側壁
１０１ｅ  底壁
１０１ｆ  上壁
１０２  流入管
１０３  流出管
１０４  マンホール部
１０５  隔壁
１０５ａ  開口部
１０５ｂ  開口部
１０６  隔壁
１０６ａ  開口部
１０６ｂ  開口部
１１０  流入バッフル
１２０  沈殿分離槽
１３０  清掃孔
１３０ａ  下端開口
１３０ｂ  上端開口
１３１  区画壁
１３２  濾材
１４０  嫌気処理槽
１４１  第１嫌気室
１４２  第２嫌気室
１４３  区画壁
１４４  嫌気濾床
１５０  好気処理槽
１５１  好気濾床
１６０  処理水槽
１６１  区画壁
１７０  消毒槽
１７１  区画壁
１８０  第１エアリフトポンプ
１８１  第２エアリフトポンプ
１８２  第３エアリフトポンプ
１９０  第１散気管
１９１  第２散気管
【図１】
2020001040.tif 000003
【図２】
2020001040.tif 000004
【図３】
2020001040.tif 000005
【図４】
2020001040.tif 000006
【図５】
2020001040.tif 000007
【図６】
2020001040.tif 000008